(57)【要約】【課題】被写体に照射する光の色温度を変更する時間を抑えることができるストロボ装置を提供することを課題とする。【解決手段】本発明のストロボ装置は、電力が蓄えられるメインコンデンサと、該メインコンデンサが蓄えている電力が供給される閃光放電管と、前記メインコンデンサから該閃光放電管に供給される電力の電流値を調整する電流値調整部と、を備える。【選択図】図２
2016061894.tif 000002
【特許請求の範囲】
【請求項１】
電力を蓄えるメインコンデンサと、該メインコンデンサから電力が供給される閃光放電管と、前記メインコンデンサから該閃光放電管に供給される電力の電流値を調整する電流値調整部と、を備えるストロボ装置。
【請求項２】
前記メインコンデンサと前記閃光放電管とは、少なくとも一つの経路で繋がれ、前記電流値調整部は、一つの前記経路毎に接続される抵抗を少なくとも一つ有するとともに、該抵抗を前記メインコンデンサと前記閃光放電管とに接続した状態と、前記抵抗を前記メインコンデンサと前記閃光放電管とから切り離した状態とに切替可能な切替部を有し、前記経路の全部又は前記経路のうちの一部の経路に対して前記抵抗が接続される請求項１に記載のストロボ装置。
【請求項３】
前記メインコンデンサと前記閃光放電管とは、複数の前記経路で繋がれ、前記電流値調整部は、複数の前記抵抗を備え、前記切替部は、前記複数の抵抗のうちの少なくとも一つの抵抗を前記メインコンデンサと前記閃光放電管とに接続可能なスイッチを有する請求項２に記載のストロボ装置。
【請求項４】
前記切替部は、前記複数の抵抗のそれぞれに接続される一つのスイッチを有し、該スイッチは、前記複数の抵抗のうちの少なくとも一つの抵抗を前記メインコンデンサと前記閃光放電管とに接続可能なスイッチを有する請求項２に記載のストロボ装置。
【請求項５】
前記メインコンデンサと前記閃光放電管とは、少なくとも一つの経路で繋がれ、前記電流値調整部は、一つの前記経路に接続される一つの可変抵抗を有し、該抵抗を前記メインコンデンサと前記閃光放電管とに接続した状態と、前記抵抗を前記メインコンデンサと前記閃光放電管とから切り離した状態とに切替可能な切替部を有する請求項１に記載のストロボ装置。
【発明の詳細な説明】
【技術分野】
【０００１】
本発明は、被写体に光を照射するストロボ装置に関する。
【背景技術】
【０００２】
従来から、カメラ（例えば、デジタルカメラやスティールカメラ等）で撮影を行うにあたり、被写体に光を照射するストロボ装置が用いられることがある。かかるストロボ装置は、光を発生させる発光部と、該発光部からの光を通過させる光学パネルと、を備える。
【０００３】
発光部は、電力が蓄えられるメインコンデンサと、該メインコンデンサから電力が供給される閃光放電管とを備える。
【０００４】
前記ストロボ装置では、メインコンデンサに蓄えられている電力が閃光放電管に供給されると、該閃光放電管が発光する。そして、光学パネルを通過した光が被写体に照射される。
【０００５】
ところで、カメラでの撮影時において、ストロボ装置で被写体に光を照射する場合、被写体に照射した光の色温度に応じて撮影した画像の色合いが変化することがある。
【０００６】
そのため、前記ストロボ装置には、被写体に照射する光の色温度を変更できるように構成されているものがある。
【０００７】
この種のストロボ装置として、例えば、光学パネルに取り付け可能な複数のカラーフィルターをさらに備えるものが提供されている。前記ストロボ装置では、閃光放電管が発生させた光が光学パネルに取り付けられているカラーフィルターを通過する。そのため、前記ストロボ装置では、閃光放電管が発生させた光の色温度が光学パネルに取り付けられているカラーフィルターに応じた色温度に変化する。
【０００８】
しかしながら、前記ストロボ装置では、被写体に照射する光の色温度を変更する場合、光学パネルに対するカラーフィルターの着脱に時間がかかる。そのため、前記ストロボ装置では、被写体に照射する光の色温度を直ちに変更できないことがある。
【０００９】
また、別のストロボ装置としては、メインコンデンサに蓄えられている電力の電圧値を調整するものが提供されている（例えば、特許文献１参照）。前記ストロボ装置では、メインコンデンサを充放電させることによって、該メインコンデンサに蓄えられている電力の電圧値を調整する。この状態で、メインコンデンサから閃光放電管に電力を供給すると、該閃光放電管は、供給された電力に対応した色温度の光を発生させる。
【００１０】
しかしながら、前記ストロボ装置では、被写体に照射する光の色温度を変更する場合、メインコンデンサの充放電に時間がかかる。従って、前記ストロボ装置では、被写体に照射する光の色温度を直ちに変更できず、撮影者の意図するタイミングで被写体に光を照射することができないことがあった。
【先行技術文献】
【特許文献】
【００１１】
【特許文献１】特開２００３−１５１７９号公報
【発明の概要】
【発明が解決しようとする課題】
【００１２】
そこで、本発明は、斯かる実情に鑑み、被写体に照射する光の色温度を変更する時間を抑えることができるストロボ装置を提供することを課題とする。
【課題を解決するための手段】
【００１３】
本発明のストロボ装置は、電力を蓄えるメインコンデンサと、該メインコンデンサから電力が供給される閃光放電管と、前記メインコンデンサから該閃光放電管に供給される電力の電流値を調整する電流値調整部と、を備える。
【００１４】
かかる構成によれば、電流値調整部を介してメインコンデンサの電力を閃光放電管に供給することができる。
【００１５】
メインコンデンサの電力は、電流値調整部を通過することによって、閃光放電管で発生させる光の色温度に対応した電流値に調整される。すなわち、メインコンデンサの電力は、所望する光の色温度に対応する電流値に調整された状態で閃光放電管に供給される。そして、閃光放電管は、供給された電力に応じた色温度の光を発生させる。
【００１６】
このように、前記ストロボ装置では、メインコンデンサの充放電を行うことで該メインコンデンサに蓄えられている電力の電圧値を調整することなく、閃光放電管が発生させる光の色温度を変更することができる。
【００１７】
従って、前記ストロボ装置は、被写体に照射する光の色温度を変更する時間を抑えることができる。
【００１８】
また、請求項２に記載の発明において、前記メインコンデンサと前記閃光放電管とは、少なくとも一つの経路で繋がれ、前記電流値調整部は、一つの前記経路毎に接続される抵抗を少なくとも一つ有するとともに、該抵抗を前記メインコンデンサと前記閃光放電管とに接続した状態と、前記抵抗を前記メインコンデンサと前記閃光放電管とから切り離した状態とに切替可能な切替部を有し、前記経路の全部又は前記経路のうちの一部の経路に対して前記抵抗が接続されることが好ましい。
【００１９】
かかる構成によれば、切替部によってメインコンデンサと閃光放電管とに抵抗を接続することができる。そのため、前記ストロボ装置では、電流値調整部の抵抗を介してメインコンデンサの電力を閃光放電管に供給することができる。
【００２０】
メインコンデンサの電力は、電流値調整部の抵抗を通過することによって、閃光放電管で発生させる光の色温度に対応した電流値に調整される。すなわち、メインコンデンサの電力は、所望する光の色温度に対応する電流値に調整された状態で閃光放電管に供給される。そして、閃光放電管は、供給された電力に応じた色温度の光を発生させる。
【００２１】
このように、前記ストロボ装置では、メインコンデンサの充放電を行うことで該メインコンデンサに蓄えられている電力の電圧値を調整することなく、閃光放電管が発生させる光の色温度を変更することができる。
【００２２】
従って、前記ストロボ装置は、被写体に照射する光の色温度を変更する時間を抑えることができる。
【００２３】
また、請求項３に記載の発明において、前記メインコンデンサと前記閃光放電管とは、複数の前記経路で繋がれ、前記電流値調整部は、複数の前記抵抗を備え、前記切替部は、前記複数の抵抗のうちの少なくとも一つの抵抗を前記メインコンデンサと前記閃光放電管とに接続可能なスイッチを有する。
【００２４】
かかる構成によれば、スイッチによって、複数の抵抗のうちの少なくとも一つの抵抗を前記経路に接続することができる。そのため、メインコンデンサの電力を該メインコンデンサと閃光放電管とに接続した抵抗に通過させることができる。
【００２５】
メインコンデンサの電力は、電流値調整部の抵抗を通過することによって、閃光放電管で発生させる光の色温度に対応した電流値に調整される。すなわち、メインコンデンサの電力は、所望する光の色温度に対応する電流値に調整された状態で閃光放電管に供給される。そして、閃光放電管は、供給された電力に応じた色温度の光を発生させる。
【００２６】
このように、前記ストロボ装置では、メインコンデンサの充放電を行うことで該メインコンデンサに蓄えられている電力の電圧値を調整することなく、閃光放電管が発生させる光の色温度を変更することができる。
【００２７】
従って、前記ストロボ装置は、被写体に照射する光の色温度を変更する時間を抑えることができる。
【００２８】
また、請求項４に記載の発明において、前記切替部は、前記複数の抵抗のそれぞれに接続される一つのスイッチを有し、該スイッチは、前記複数の抵抗のうちの少なくとも一つの抵抗を前記メインコンデンサと前記閃光放電管とに接続可能なスイッチを有する。
【００２９】
かかる構成によれば、一つのスイッチによって、複数の抵抗のうちの少なくとも一つの抵抗を前記経路に接続することができる。そのため、前記ストロボ装置は、被写体に照射する光の色温度の変更に要する時間を抑えつつ、部品点数を抑えることもできる。
【００３０】
また、請求項５に記載の発明において、前記メインコンデンサと前記閃光放電管とは、少なくとも一つの経路で繋がれ、前記電流値調整部は、一つの前記経路に接続される一つの可変抵抗を有し、該抵抗を前記メインコンデンサと前記閃光放電管とに接続した状態と、前記抵抗を前記メインコンデンサと前記閃光放電管とから切り離した状態とに切替可能な切替部を有することが好ましい。
【００３１】
かかる構成によれば、切替部によってメインコンデンサと閃光放電管とに可変抵抗を接続することができる。そのため、前記ストロボ装置では、可変抵抗を介してメインコンデンサから閃光放電管に電力を供給することができる。
【００３２】
メインコンデンサの電力は、電流値調整部の可変抵抗を通過することによって、閃光放電管で発生させる光の色温度に対応した電流値に調整される。すなわち、メインコンデンサの電力は、所望する光の色温度に対応する電流値に調整された状態で閃光放電管に供給される。さらに、前記ストロボ装置では、可変抵抗の抵抗値を変化させることによって、メインコンデンサから閃光放電管に供給される電力の電流値を調整することができる。
【００３３】
そして、閃光放電管は、供給された電力に応じた色温度の光を発生させる。
【００３４】
このように、前記ストロボ装置では、メインコンデンサの充放電を行うことで該メインコンデンサに蓄えられている電力の電圧値を調整することなく、閃光放電管が発生させる光の色温度を変更することができる。
【００３５】
従って、前記ストロボ装置は、被写体に照射する光の色温度を変更する時間を抑えることができる。
【発明の効果】
【００３６】
本発明によれば、被写体に照射する光の色温度の変更に要する時間を抑えることができるストロボ装置を提供することができる。
【図面の簡単な説明】
【００３７】
【図１】本発明の一実施形態に係るストロボ装置の概略図
【図２】同実施形態に係るストロボ装置における発光部の回路図
【図３】本発明の他の実施形態に係るストロボ装置における発光部の回路図
【図４】本発明の別の実施形態に係るストロボ装置における発光部の回路図
【図５】本発明のさらに別の実施形態に係るストロボ装置における発光部の回路図
【発明を実施するための形態】
【００３８】
以下、本発明の一実施形態について、図面を参酌しつつ説明する。図１に示すように、本実施形態に係るストロボ装置１は、カメラ（例えば、デジタルカメラやスティールカメラ等）で撮影を行うにあたり、被写体に光を照射するためのものである。
【００３９】
ストロボ装置１は、図２に示すように、電力が蓄えられるメインコンデンサ２と、該メインコンデンサ２の電力が供給される閃光放電管３と、前記メインコンデンサ２から該閃光放電管３に供給される電力の電流値を調整する電流値調整部４と、を備えている。
【００４０】
また、ストロボ装置１は、電源５とメインコンデンサ２とに接続される昇圧回路６と、該閃光放電管３内の希ガスを励起するトリガ回路７と、を備えている。
【００４１】
なお、本実施形態では、閃光放電管３を含む回路全体を発光部８として以下の説明を行う場合がある。また、図１に示すように、本実施形態に係るストロボ装置１は、閃光放電管３が発生させた光を反射させるリフレクタ９と、閃光放電管３を介してリフレクタ９と並ぶように配置される光学パネル１０とをさらに備える。
【００４２】
また、本実施形態では、メインコンデンサ２と閃光放電管３とが少なくとも一つの経路（本実施形態では、３つの経路）で繋がれている。
【００４３】
閃光放電管３は、内部に希ガス（例えば、キセノンガス）が封入されるバルブ（採番しない）を有する。また、図２に示すように、閃光放電管３は、バルブに取り付けられている陽極１１と、該陽極１１と間隔をあけてバルブに取り付けられている陰極１２と、バルブの表面に取り付けられているトリガ電極１３とを有する。閃光放電管３の陽極１１には、電流値調整部４が接続されている。
【００４４】
電流値調整部４は、一つの前記経路毎に接続される抵抗を少なくとも一つ有する。上述のように、メインコンデンサ２と閃光放電管３とは、３つの経路で繋がれている。これに伴い、電流値調整部４は、３つの前記抵抗１４ａ，１４ｂ，１４ｃを有する。
【００４５】
また、電流値調整部４は、抵抗１４ａ，１４ｂ，１４ｃを前記経路に接続した状態と、抵抗１４ａ，１４ｂ，１４ｃを前記経路から切り離した状態とに切替可能な切替部１５を有する。
【００４６】
前記抵抗１４ａ，１４ｂ，１４ｃのそれぞれは、互いに異なる抵抗値である。
【００４７】
切替部１５は、前記複数の抵抗１４ａ，１４ｂ，１４ｃのうちの少なくとも一つの抵抗を前記メインコンデンサ２と前記閃光放電管３とに接続可能なスイッチを有する。本実施形態に係る切替部１５は、スイッチとして、一つの抵抗１４ａ，１４ｂ，１４ｃ毎に接続されるスイッチ１６ａ，１６ｂ，１６ｃを有する。
【００４８】
さらに、電流値調整部４は、複数の抵抗１４ａ，１４ｂ，１４ｃのうちの何れか一つの抵抗を通じて閃光放電管３に電力が供給されるように構成される。そのため、本実施形態に係るストロボ装置１では、閃光放電管３が発生させる光を３種類の色温度に変更することができる。このように、本実施形態に係る電流値調整部４は、変更可能とする色温度の種類に対応する数の抵抗を有する。
【００４９】
トリガ回路７は、閃光放電管３のトリガ電極１３に接続されている。そして、トリガ回路７は、閃光放電管３のトリガ電極１３に電圧を印加して、閃光放電管３を励起させるように構成される。
【００５０】
以上のように構成されたストロボ装置１について、次にその動作を説明する。前記ストロボ装置１では、まず、電源５の電圧が昇圧回路６によって昇圧される。そして、メインコンデンサ２は、昇圧回路６から供給される電力によって充電される。
【００５１】
そして、複数の抵抗１４ａ，１４ｂ，１４ｃのうちの何れか一つの抵抗をメインコンデンサ２と閃光放電管３とに接続する。すなわち、メインコンデンサ２と閃光放電管３とに複数の抵抗１４ａ，１４ｂ，１４ｃのうちの何れか一つの抵抗を接続する。
【００５２】
一例を挙げて具体的に説明すると、例えば、抵抗１４ａをメインコンデンサ２と閃光放電管３とに接続する場合、他の抵抗１４ｂ，１４ｃをメインコンデンサ２と閃光放電管３とから切り離す。これにより、メインコンデンサ２と閃光放電管３とを抵抗１４ａによって接続する。
【００５３】
この状態で、トリガ回路７によって閃光放電管３のトリガ電極１３に電圧を印加すると、該閃光放電管３内の希ガスが励起する。これに伴い、閃光放電管３の陽極１１と陰極１２とが導通状態になる。これにより、電流値調整部４の抵抗１４ａを介してメインコンデンサ２から閃光放電管３に電力が供給される。
【００５４】
このとき、メインコンデンサ２から閃光放電管３に供給される電力は、電流値調整部４の抵抗１４ａを通過するに伴って、所望する光の色温度に対応する電流値に調整される。そして、閃光放電管３は、供給された電力の電流値に応じた色温度の光を発生させる。
【００５５】
さらに、抵抗１４ａをメインコンデンサ２と閃光放電管３とから切り離して、抵抗１４ｂ又は抵抗１４ｃの何れか一方の抵抗をメインコンデンサ２と閃光放電管３とに接続すれば、抵抗１４ｂ、又は抵抗１４ｃの何れか一方の抵抗を介してメインコンデンサ２から閃光放電管３に電力を供給できるようになる。
【００５６】
この場合、メインコンデンサ２に蓄えられている電力は、抵抗１４ｂ、又は抵抗１４ｃの何れか一方の抵抗を介して閃光放電管３に供給される。
【００５７】
そのため、閃光放電管３には、抵抗１４ｂ又は抵抗１４ｃによって電流値が調整された電力が供給される。そして、閃光放電管３は、供給された電力の電流値に応じた色温度の光を発生させる。
【００５８】
このように、本実施形態に係るストロボ装置１は、メインコンデンサ２の充放電を行うことで該メインコンデンサ２に蓄えられている電力の電圧値を調整することなく、閃光放電管３が発生させる光の色温度を変更することができる。
【００５９】
以上のように、本実施形態に係るストロボ装置１によれば、メインコンデンサ２の電力を電流値調整部４の抵抗（本実施形態では、３つの抵抗１４ａ，１４ｂ，１４ｃのうちの何れか一つの抵抗）に通過させることができる。
【００６０】
また、前記ストロボ装置１は、切替部１５によって、メインコンデンサ２と閃光放電管３とに抵抗１４ａ，１４ｂ，１４ｃを接続することができる。より具体的に説明すると、前記ストロボ装置１では、スイッチ１６ａ，１６ｂ，１６ｃによって、３つの抵抗１４ａ，１４ｂ，１４ｃのうちの何れか一つの抵抗をメインコンデンサ２と閃光放電管３とに接続することができる。
【００６１】
そのため、前記ストロボ装置１では、メインコンデンサ２に蓄えられている電力を３つの抵抗１４ａ，１４ｂ，１４ｃのうちの何れか一つの抵抗に通過させることができる。
【００６２】
そして、閃光放電管３に供給されるメインコンデンサ２の電力は、電流値調整部４の抵抗１４ａ，１４ｂ，１４ｃを通過するに伴って、閃光放電管３で発生させる光の色温度に対応した電流値に調整される。すなわち、メインコンデンサ２の電力は、所望する光の色温度に対応する電流値に調整された状態で閃光放電管３に供給される。そして、閃光放電管３は、供給された電力に応じた色温度の光を発生させる。
【００６３】
このように、前記ストロボ装置１では、メインコンデンサ２の充放電を行うことで該メインコンデンサ２に蓄えられている電力の電圧値を調整することなく、閃光放電管３が発生させる光の色温度を変更することができる。
【００６４】
従って、前記ストロボ装置１は、被写体に照射する光の色温度を変更する時間を抑えることができる。
【００６５】
尚、本発明のストロボ装置１は、上記実施形態に限定されるものではなく、本発明の要旨を逸脱しない範囲内において種々変更を加え得ることは勿論である。
【００６６】
上記実施形態において、メインコンデンサ２と閃光放電管３とを接続する複数の経路のそれぞれには、抵抗１４ａ，１４ｂ，１４ｃが接続されていたが、これに限定されるものではない。例えば、図３に示すように、メインコンデンサ２と閃光放電管３とを接続する複数の経路には、スイッチ１６ｃのみが接続されている経路が含まれていてもよい。すなわち、メインコンデンサ２と閃光放電管３とを接続する複数の経路のうちの一部の経路に対して抵抗が接続されていてもよい。
【００６７】
電流値調整部４は、３つの抵抗１４ａ，１４ｂ，１４ｃを備えていたが、これに限定されるものではない。例えば、電流値調整部４は、１つの抵抗を備えていても良いし、２つの抵抗又は４つ以上の抵抗を備えていてもよい。
【００６８】
上記実施形態において、電流値調整部４は、複数の抵抗１４ａ，１４ｂ，１４ｃのうちの一つの抵抗を介してメインコンデンサ２に蓄えている電力を閃光放電管３に供給するように構成されていたが、これに限定されるものではない。例えば、電流値調整部４は、複数の抵抗１４ａ，１４ｂ，１４ｃのうちの二つ以上の抵抗を介してメインコンデンサ２に蓄えている電力を閃光放電管３に供給するように構成してもよい。
【００６９】
上記実施形態において、切替部１５では、複数の抵抗１４ａ，１４ｂ，１４ｃのそれぞれに対して個別のスイッチ１６ａ，１６ｂ，１６ｃを接続していたが、これに限定されるものではない。例えば、図４に示すように、切替部１５は、複数の抵抗１４ａ，１４ｂ，１４ｃのそれぞれが接続される一つのスイッチ１７（例えば、ロータリースイッチ等）を有するようにしてもよい。
【００７０】
なお、図４に示すスイッチ１７は、複数の抵抗１４ａ，１４ｂ，１４ｃのうちの一つの抵抗をメインコンデンサ２と閃光放電管３とに接続するように構成されているが、スイッチ１７は、例えば、複数の抵抗１４ａ，１４ｂ，１４ｃのうちの二つの抵抗をメインコンデンサ２と閃光放電管３とに接続するように構成されていてもよい。
【００７１】
上記構成を採用したストロボ装置１では、一つのスイッチ１７で複数の抵抗１４ａ，１４ｂ，１４ｃのそれぞれの状態を切り替えることができるため、被写体に照射する光の色温度を変更する時間を抑えつつ、部品点数を抑えることもできるようになる。
【００７２】
また、上記実施形態において、電流値調整部４は、複数の抵抗１４ａ，１４ｂ，１４ｃを有していたが、これに限定されるものではない。例えば、電流値調整部４は、図５に示すように、少なくとも一つの可変抵抗１８と、該可変抵抗１８に接続されるスイッチ１９であって、前記可変抵抗１８をメインコンデンサ２と閃光放電管３とに接続可能なスイッチ１９とを有するようにしてもよい。
【００７３】
このようにする場合、可変抵抗１８の抵抗値を変化させることによって、メインコンデンサ２から閃光放電管３に供給する電力の電流値を調整することができる。
【００７４】
このように、上記構成を採用したストロボ装置１も、メインコンデンサ２の充放電を行うことで該メインコンデンサ２に蓄えられている電力の電圧値を調整することなく、閃光放電管３が発生させる光の色温度を変更することができる。従って、前記ストロボ装置１は、被写体に照射する光の色温度を変更する時間を抑えることができる。
【００７５】
さらに、電流値調整部４が少なくとも一つの可変抵抗を有するようにする場合、図３に示したように、メインコンデンサ２と閃光放電管３とが複数の経路で接続され、該複数の経路には、スイッチのみが接続されている経路が含まれていてもよい。すなわち、メインコンデンサ２と閃光放電管３とを接続する複数の経路のうちの一部の経路に対して可変抵抗が接続されていてもよい。このようにする場合も、スイッチのみが接続されている経路を介してメインコンデンサ２に蓄えている電力を閃光放電管３に供給することができる。
【００７６】
また、上記実施形態において、特に言及しなかったが、切替部１５の各スイッチ１６ａ，１６ｂ，１６ｃは、例えば、ＩＧＢＴで構成してもよい。
【産業上の利用可能性】
【００７７】
本発明のストロボ装置１は、電力が蓄えられるメインコンデンサ２と、該メインコンデンサ２から電力が供給される閃光放電管３と、前記メインコンデンサ２から該閃光放電管３に供給される電力の電流値を調整する電流値調整部４と、を備えることによって、被写体に照射する光の色温度を変更する時間を抑えることが必要な用途にも適用できる。
【符号の説明】
【００７８】
１  ストロボ装置
２  メインコンデンサ
３  閃光放電管
４  電流値調整部
１４ａ，１４ｂ，１４ｃ  抵抗
１５  切替部
１６ａ，１６ｂ，１６ｃ，１７  スイッチ
１８  可変抵抗
【図１】
2016061894.tif 000003
【図２】
2016061894.tif 000004
【図３】
2016061894.tif 000005
【図４】
2016061894.tif 000006
【図５】
2016061894.tif 000007